(57)【要約】      （修正有）【課題】表面材と発泡性合成樹脂による裏打材とを一体に成形した横葺屋根板の、施工時に施工者が乗ることにより嵌合部を潰さない為に、嵌合部においての上方からの荷重に対して補強した横葺屋根板。【解決手段】ほぼ平坦な屋根板面１ｂと、その屋根板面１ｂの幅方向の端部に表面材１ａを折り曲げた前端面１ｃと、さらに折り曲げた差込片１ｅとを形成し、その幅方向の他端部に表面側に折り曲げた嵌合片１１と表面材１ａとにより嵌合溝１ｋを形成し、その嵌合溝１ｋに、他の横葺屋根板の差込片１ｅを差し込み嵌合する、その横葺屋根板の表面材１ａと発泡性合成樹脂による裏打材１ｕとを一体に成形する横葺屋根の、前記の差込片１ｅを折り曲げ延長した折返片１ｉにより、前端面１ｃを補強する横葺屋根板とする。【選択図】図１
2006322299.tif 000002
【特許請求の範囲】
【請求項１】
金属板による表面材と裏打材による、複数の長尺の横葺屋根板を、長手方向に接続する横葺屋根板において、ほぼ平坦な屋根板面と、その屋根板面の幅方向の端部に表面材を折り曲げた前端面と、さらに折り曲げた差込片とを形成し、その幅方向の他端部に表面側に折り曲げた嵌合片と表面材とにより嵌合溝を形成し、その嵌合溝に、他の横葺屋根板の差込片を差し込み嵌合する、その横葺屋根板の表面材と発泡性合成樹脂による裏打材とを一体に成形する横葺屋根板に関して、前記の差込片を折り曲げ延長した折返片により、前端面を補強する事を特徴とする横葺屋根板。
【請求項２】
前記の長手方向に接続する手段が、横葺屋根板の接続部の裏打材を切り欠いて、横葺屋根板を重なり合わせる事である、請求項１記載の横葺屋根板。
【請求項３】
前記の長手方向に接続する手段が、横葺屋根板の接続部の裏打材を切り欠いて、継手部材に差し込み接続する事である、請求項１記載の横葺屋根板。
【請求項４】
前記の折返片が、裏打材により覆われた、請求項１から請求項３記載の横葺屋根板。
【請求項５】
屋根板面と折返片との間を、発泡性合成樹脂による裏打材により充填する、請求項１から請求項３記載の横葺屋根板。
【請求項６】
折返片と嵌合片とにより嵌合による隙間の屋外側方向に、空間を形成し再度近接する、請求項５記載の横葺屋根板。
【請求項７】
請求項１から請求項６記載の横葺屋根板とその接続手段とによる横葺屋根構造。
【発明の詳細な説明】
【技術分野】
【０００１】  この発明は、金属板による表面材と裏打材による、複数の長尺の横葺屋根板を、長手方向に接続する横葺屋根板において、ほぼ平坦な屋根板面と、その屋根板面の幅方向の端部に表面材を折り曲げた前端面と、さらに折り曲げた差込片とを形成し、その幅方向の他端部に表面側に折り曲げた嵌合片と表面材とにより嵌合溝を形成し、その嵌合溝に、他の横葺屋根板の差込片を差し込み嵌合する、その横葺屋根板の表面材と発泡性合成樹脂による裏打材とを一体に成形して、施工時に施工者が乗ることにより嵌合部を潰さない為に、嵌合部においての上方からの荷重に対して補強した横葺屋根板に関する。【０００２】  従来、横葺屋根板の表面材と発泡性合成樹脂による裏打材とを一体に成形する横葺屋根板の、嵌合部においての上方からの荷重に対して補強した横葺屋根板には、嵌合部において、嵌合する横葺屋根板の裏打材を、嵌合される横葺屋根板に乗せる横葺屋根板がある。（例えば、特許文献１参照）。
【特許文献１】  特開平８−１９９７４０号公報
【発明の開示】
【発明が解決しようとする課題】
【０００３】  従来の技術には、発泡性合成樹脂による裏打材の充填は、原材料の注入量や配合や混合度合いや発泡温度や材齢等などの不安定要因が多数あり、一定にするのは困難であり、不足すると強度が不足する問題と、過大になると嵌合が困難になる問題や、嵌合部は形状が複雑であり、そこに発泡性合成樹脂による裏打材の充填を矯正して注入する為には、複雑な機構になる問題があり、嵌合部に裏打材の充填を行わないと、嵌合部の強度が不足し、施工時に施工者が乗ることにより嵌合部を潰す問題があった。
【課題を解決するための手段】
【０００４】  この発明は、金属板による表面材と裏打材による、複数の長尺の横葺屋根板を、長手方向に接続する横葺屋根板において、ほぼ平坦な屋根板面と、その屋根板面の幅方向の端部に表面材を折り曲げた前端面と、さらに折り曲げた差込片とを形成し、その幅方向の他端部に表面側に折り曲げた嵌合片と表面材とにより嵌合溝を形成し、その嵌合溝に、他の横葺屋根板の差込片を差し込み嵌合する、その横葺屋根板の表面材と発泡性合成樹脂による裏打材とを一体に成形する横葺屋根板に関して、前記の差込片を折り曲げ延長した折返片により、前端面を補強する横葺屋根板とする。
【発明の効果】
【０００５】  この発明による横葺屋根板とその接続手段とによる横葺屋根構造には、次のような効果がある。【０００６】Ａ．横葺屋根板の表面材による差込片を折り曲げ延長した折返片により、前端面を補強するため、
ａ．施工時の施工者が乗り嵌合部を潰さない為に、嵌合部においての上方からの荷重に対しての補強が、前端面の折返片による補強により可能になり、
イ．発泡性合成樹脂による裏打材の充填の、不安定要因が影響せず、充填度合いによる問題が解消され、
ロ．充填不足による強度が不足する問題と、
ハ．充填過大による嵌合の困難になる問題等が解消され、
ニ．製品の品質が向上し、
ｂ．複雑な形状の嵌合部に、そこに発泡性合成樹脂による裏打材の充填を矯正して注入する必要が無くなり、
イ．発泡性合成樹脂による裏打材の充填を、嵌合部に矯正して注入する複雑な機構が不要となり、
ロ．コストが低下する。【０００７】Ｂ．長手方向に接続する手段が、横葺屋根板の接続部の裏打材を切り欠いて、横葺屋根板を重なり合わせる横葺屋根板の場合、
ａ．嵌合部の差込片を折り曲げ延長した折返片により、前端面を補強するため、
イ．嵌合部の構造が簡単になり、
ロ．長手方向に接続する接続部の構造が簡単になり、
ハ．接続部が目立たなくなり連続した長い帯状の屋根意匠となり、意匠性が向上する。【０００８】Ｃ．長手方向に接続する手段が、横葺屋根板の接続部の裏打材を切り欠いて、継手部材に差し込み接続する横葺屋根板の場合、
イ．継手部材により接続部の補強が可能になり、
ロ．接続部により屋根板の温度変化による、線膨張が緩衝可能になり、
ハ．継手部材が屋根面の意匠のアクセントとなり、意匠性が向上する。【０００９】Ｄ．前記の折返片が、裏打材により覆われた、横葺屋根板の場合、
ａ．折返片が裏打材により屋根板面に強固に固定され、
イ．上方からの荷重に対しての強度が向上する。【００１０】Ｅ．屋根板面と折返片との間を、発泡性合成樹脂による裏打材により充填する、横葺屋根板の場合、
ａ．屋根板面と折返片との間の発泡性合成樹脂による裏打材により、
イ．断熱性が向上し、
ロ．遮音性が向上する。【００１１】Ｆ．折返片と嵌合片とにより、嵌合による隙間の屋外側方向に空間を形成し、再度近接する横葺屋根板の場合、
ａ．屋外側方向に、空間を形成し毛細管現象による雨水の浸入を、遮断可能になり、
イ．屋根の水密性が向上する。【００１２】Ｇ．この発明による横葺屋根板とその接続手段とによる横葺屋根構造とすることにより、
ａ．嵌合部の強度を向上することにより、前端面の幅を広くとる事が可能となり、
イ．屋根板面と、前端面とのコントラストが大きくなり、意匠性が向上する。
ｂ．前端面の幅を広くとる事により、裏打材の厚さを厚くとる事が可能になり、
イ．屋根の断熱性能が向上し、
ロ．屋根上に積もった雪が、室内側からの熱により解けて、水となり再度氷結して、雪解け水を貯めるダムとなり、屋根からの漏水となる、すがもれ現象を防止する。
ｃ．風圧による接続部の変形が防止され、変形による接続部の開口により、雨水が浸入する事を防止され、横葺屋根の接続部の水密性が向上する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表される型押板
イ．押し出し成形アルミニウム板の切削加工品のプレス加工品
ロ．ダイキャスト板等を使用する。【００１４】Ｂ．この発明に使用される建築用パネルや部材の釘打ち固定には、
ａ．次に代表される、固定具を使用する。
イ．タッピングビス
ロ．釘
ハ．ホッチキス
ニ．木ネジ
ホ．ポップリベット
ヘ．両面粘着テープ等【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。【００１６】  発明の実施例について、次の、実施例１、実施例２、実施例３、実施例４、及び実施例５により、図面を参照して説明する。
【実施例１】
【００１７】  図１，図２，図３，図４，図５，図６，及び図７は、この発明の実施例１を示すものである。【００１８】Ａ．図１，図６，及び図７に示す、実施例１においての横葺屋根板１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｅと折返片１ｉとを形成し、
イ．表面材１ａをくの字形に裏面側に折り曲げて前端面１ｃを形成し、
ロ．その前端面１ｃを、さらに鋭角に裏面側に折り曲げて、そして、裏面側に折り返して先端がナス型にふくれた差込片１ｅを形成し、
ハ．その差込片１ｅを、その差込片１ｅと前端面１ｃと屋根板面１ｂとの裏面に沿って延長して、折返片１ｉを形成し、
ｃ．そして、その屋根板面１ｂの他側端に、次のような嵌合片１ｌと嵌合溝１ｋと釘打片１ｎとを形成し、
イ．屋根板面１ｂを、表面側にＵ字形に折り曲げて、嵌合溝１ｋを形成し、
ロ．その嵌合溝１ｋを裏面側に折り返して、嵌合片１ｌを形成し、
ハ．その嵌合片１ｌを裏面側に鈍角のクランク状に折り曲げて、先端を表面側に折り返し、途中に裏面側に開口する断面半円形の突起を持つ、釘打片１ｎを形成し、
ｄ．また、その横葺屋根板１の長手方向の端部に、次のような連結面１ｓを形成し、
イ．屋根板面１ｂの表面側に突起し、屋根板面１ｂの幅方向に長く、互いに平行な複数の突条１ｔを形成し、
ロ．その連結面１ｓの嵌合溝１ｋの内幅を、板厚程度広く押し広げて形成し、
ハ．その連結面１ｓの先端に、表面材１ａを表面側に折り返した、折曲片１ｑを形成し、
ｅ．それから、その横葺屋根板１の長手方向の他端部の屋根板面１ｂを、裏面側に折り返した折曲片１ｑを持つ、次のような剥取片１ｐを形成し、
イ．その剥取片１ｐの折返片１ｉを切り欠いて、折返切欠１ｊを形成し、
ロ．その差込片１ｅと、差込片１ｅ側の前端面１ｃとを、折返切欠１ｊの端部から切り欠いて、差込切欠１ｆを形成し、
ハ．その差込切欠１ｆの途中に略矩形の裏面側に折れ曲がり突起し、他の横葺屋根板１の前端面１ｃを内側に嵌合可能な、鉤片１ｈを形成し、
ニ．その差込切欠１ｆの鉤片１ｈ以外の部分を、水抜切欠１ｇとして形成し、
ホ．そして、その剥取片１ｐの嵌合片１ｌと釘打片１ｎを切り欠き、それとともに、嵌合溝１ｋをテーパー状に切り欠いて、嵌合切欠１ｍを形成し、
ヘ．その残った嵌合溝１ｋを押し窄めて、その外幅を板厚程度薄く形成し、
ト．その剥取片１ｐの長さを、連結面１ｓの長さより長く形成し、
ｆ．それにまた、その成形した表面材１ａの裏面側に、
イ．前端面１ｃと屋根板面１ｂとの折返片１ｉ上の屈曲部から、嵌合溝１ｋ側の側端に亘る間を、裏面材１ｖにより覆った、発泡合成樹脂６による次のような裏打材１ｕを形成し、
ロ．その裏打材１ｕの幅方向の断面は、屋根板面１ｂを底辺とし、その頂点が差込片１ｅ側によった薄い三角形に形成し、
ｇ．その剥取片１ｐの裏面の裏打材１ｕを、裏打材１ｕ側に内向傾斜して切断して、剥離端１ｄを形成し、
イ．その剥取片１ｐの剥離端１ｄの外方の裏打材１ｕを、屋根板面１ｂから剥ぎ取り、
ｈ．また、前記の連結面１ｓの裏面の裏打材１ｕも、その端部近辺を裏打材１ｕ側に内向傾斜して切断して、剥離端１ｄを形成し、その外方の裏打材１ｕを、屋根板面１ｂから剥ぎ取り形成する。【００１９】Ｂ．図１，図２，図３，図４，及び図５に示す、実施例１の屋根４の施工は、
ａ．次のようにして横葺屋根板１を施工し、
イ．施工仕様の要求と屋根４の設計による接続部３の位置に合わせて、
ロ．前の段の、すでに固定した横葺屋根板１の嵌合溝１ｋに、他の横葺屋根板１の差込片１ｅを差し込ませて、
ハ．その横葺屋根板１の釘打片１ｎを釘打ち固定し、
ｂ．その横葺屋根板１の連結面１ｓに、次の横葺屋根板１を被せて施工し、
イ．前者の横葺屋根板１の連結面１ｓの前端面１ｃと、前の段の横葺屋根板１の屋根板面１ｂとの隙間に、後者の横葺屋根板１の剥取片１ｐ側の鉤片１ｈを差し込み、
ロ．前者の横葺屋根板１の連結面１ｓの嵌合溝１ｋに、後者の横葺屋根板１の剥取片１ｐの嵌合溝１ｋを入れて、
ハ．前者の横葺屋根板１の連結面１ｓを、後者の横葺屋根板１の剥取片１ｐにより覆いながら、
ニ．前の段の、すでに固定した横葺屋根板１の嵌合溝１ｋに、後者の横葺屋根板１の差込片１ｅを差し込ませて、
ホ．その横葺屋根板１の釘打片１ｎを釘打ち固定し、
ヘ．上記を繰り返して、この段の横葺屋根板１を複数施工し、
ｃ．そして、それらの、施工された横葺屋根板１の次の段以降に、上記を繰り返して、屋根４を施工する。
【実施例２】
【００２０】  図８，図９，図１０，図１１，図１２，図１３，及び図１４は、この発明の実施例２を示すものである。【００２１】Ａ．図８，図１３，及び図１４に示す、実施例２においての横葺屋根板１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｅと折返片１ｉとを形成し、
イ．表面材１ａをＬ字形に裏面側に折り曲げて前端面１ｃを形成し、
ロ．その前端面１ｃを、さらに鋭角気味に裏面側に折り曲げて、そして、裏面側に折り返して先端がナス型にふくれた差込片１ｅを形成し、
ハ．その差込片１ｅを、その差込片１ｅの裏面に沿って延長し、前端面１ｃの角において、鋭角に表面側に折り曲げて、屋根板面１ｂに当たる位置でくの字形に表面側に折り曲げて、屋根板面１ｂの裏面に沿って延長して、折返片１ｉを形成し、
ｃ．そして、その屋根板面１ｂの他側端に、次のような嵌合片１ｌと嵌合溝１ｋと釘打片１ｎとを形成し、
イ．屋根板面１ｂを、表面側にＵ字形に折り曲げて、嵌合溝１ｋを形成し、
ロ．その嵌合溝１ｋを裏面側に折り返して、嵌合片１ｌを形成し、
ハ．その嵌合片１ｌを裏面側に鈍角のクランク状に折り曲げて、先端を表面側に折り返し、途中に裏面側に開口する断面半円形の突起を持つ、釘打片１ｎを形成し、
ｄ．また、その横葺屋根板１の長手方向の端部に、次のような連結面１ｓを形成し、
イ．屋根板面１ｂの表面側に突起し、屋根板面１ｂの幅方向に長く、互いに平行な複数の突条１ｔを形成し、
ロ．その連結面１ｓの嵌合溝１ｋと、嵌合片１ｌと、釘打片１ｎとを切り欠いて釘打切欠１ｏを形成し、
ハ．その連結面１ｓの先端に、表面材１ａを表面側に折り返した、折曲片１ｑを形成し、
ｅ．それから、その横葺屋根板１の長手方向の他端部の屋根板面１ｂを、裏面側に折り返した折曲片１ｑを持つ、次のような剥取片１ｐを形成し、
イ．その剥取片１ｐの折返片１ｉを切り欠いて、折返切欠１ｊを形成し、
ロ．その差込片１ｅと、差込片１ｅ側の前端面１ｃとを、折返切欠１ｊの端部から切り欠いて、差込切欠１ｆを形成し、
ハ．その差込切欠１ｆの途中に略矩形の裏面側に折れ曲がり突起し、他の横葺屋根板１の前端面１ｃを内側に嵌合可能な、鉤片１ｈを形成し、
ニ．その差込切欠１ｆの鉤片１ｈ以外の部分を、水抜切欠１ｇとして形成し、
ホ．そして、その剥取片１ｐの先端部の近辺の嵌合片１ｌと釘打片１ｎを切り欠いて、嵌合切欠１ｍを形成し、
ヘ．その剥取片１ｐの長さを、連結面１ｓの長さより長く形成し、
ｆ．それにまた、その成形した表面材１ａの裏面側に、
イ．前端面１ｃ方向への屋根板面１ｂからの折返片１ｉ上の屈曲部から、嵌合溝１ｋ側の側端に亘る間を、裏面材１ｖにより覆った、発泡合成樹脂６による次のような裏打材１ｕを形成し、
ロ．その裏打材１ｕの幅方向の断面は、屋根板面１ｂを底辺とし、その頂点が差込片１ｅ側によった薄い三角形に形成し、
ｇ．その剥取片１ｐの裏面の裏打材１ｕを、裏打材１ｕ側に内向傾斜して切断して、剥離端１ｄを形成し、
イ．その剥取片１ｐの剥離端１ｄの外方の裏打材１ｕを、屋根板面１ｂから剥ぎ取り、
ｈ．また、前記の連結面１ｓの裏面の裏打材１ｕも、その端部近辺を裏打材１ｕ側に内向傾斜して切断して、剥離端１ｄを形成し、その外方の裏打材１ｕを、屋根板面１ｂから剥ぎ取り形成する。【００２２】Ｂ．図８，図９，図１０，図１１，及び図１２に示す、実施例２の屋根４の施工は、
ａ．次のようにして横葺屋根板１を施工し、
イ．施工仕様の要求と屋根４の設計による接続部３の位置に合わせて、
ロ．前の段の、すでに固定した横葺屋根板１の嵌合溝１ｋに、他の横葺屋根板１の差込片１ｅを差し込ませて、
ハ．その横葺屋根板１の釘打片１ｎを釘打ち固定し、
ｂ．その横葺屋根板１の連結面１ｓに、次の横葺屋根板１を被せて施工し、
イ．前者の横葺屋根板１の連結面１ｓの前端面１ｃと、前の段の横葺屋根板１の屋根板面１ｂとの隙間に、後者の横葺屋根板１の剥取片１ｐ側の鉤片１ｈを差し込み、
ロ．前者の横葺屋根板１の連結面１ｓの釘打切欠１ｏに、後者の横葺屋根板１の剥取片１ｐの釘打片１ｎを入れて、
ハ．前者の横葺屋根板１の連結面１ｓを、後者の横葺屋根板１の剥取片１ｐにより覆いながら、
ニ．前の段の、すでに固定した横葺屋根板１の嵌合溝１ｋに、後者の横葺屋根板１の差込片１ｅを差し込ませて、
ホ．その横葺屋根板１の釘打片１ｎを釘打ち固定し、
ヘ．上記を繰り返して、この段の横葺屋根板１を複数施工し、
ｃ．そして、それらの、施工された横葺屋根板１の次の段以降に、上記を繰り返して、屋根４を施工する。
【実施例３】
【００２３】  図１５，図１６，図１７，図１８，図１９，図２０，及び図２１は、この発明の実施例３を示すものである。【００２４】Ａ．図１５及び図２０に示す、実施例３においての横葺屋根板１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｅと折返片１ｉとを形成し、
イ．表面材１ａをくの字形に裏面側に折り曲げて前端面１ｃを形成し、
ロ．その前端面１ｃを、さらに鋭角に裏面側に折り曲げて、そして、裏面側に折り返して先端がナス型にふくれた差込片１ｅを形成し、
ハ．その差込片１ｅを、その差込片１ｅの裏面に沿って延長し、そして、表面側に鋭角的に折り曲げて前端面１ｃの裏面の過半に沿って延長し、次に、くの字形に表面側に折り曲げて屋根板面１ｂとほぼ平行に沿って延長して、折返片１ｉを形成し、
ｃ．そして、その屋根板面１ｂの他側端に、次のような嵌合片１ｌと嵌合溝１ｋと釘打片１ｎとを形成し、
イ．屋根板面１ｂを、表面側にＵ字形に折り曲げて、嵌合溝１ｋを形成し、
ロ．その嵌合溝１ｋを裏面側に折り返して、嵌合片１ｌを形成し、
ハ．その嵌合片１ｌを裏面側に鈍角のクランク状に折り曲げて、先端を表面側に折り返し、途中に裏面側に開口する断面半円形の突起を持つ、釘打片１ｎを形成し、
ｄ．また、その横葺屋根板１の長手方向の両端部に、次のような剥取片１ｐを形成し、
イ．その剥取片１ｐを鋭角的に裏面側に折り曲げて、折曲片１ｑを形成し、
ロ．その折曲片１ｑと剥取片１ｐとにより、引掛溝１ｒを構成し、
ｅ．それから、その成形した表面材１ａの裏面側に、
イ．屋根板面１ｂと平行な折返片１ｉ上の途中から、嵌合溝１ｋの側端に亘る間を、裏面材１ｖにより覆った、発泡合成樹脂６による次のような裏打材１ｕを形成し、
ロ．その裏打材１ｕの幅方向の断面は、屋根板面１ｂを底辺とし、その頂点が差込片１ｅ側によった薄い三角形に形成し、
ハ．屋根板面１ｂと平行な折返片１ｉとの間にも、発泡合成樹脂６を充填し、
ｆ．前記の剥取片１ｐの裏面の裏打材１ｕを、裏打材１ｕ側に内向傾斜して切断して、剥離端１ｄを形成し、
イ．その剥取片１ｐの剥離端１ｄの外方の裏打材１ｕを、屋根板面１ｂから剥ぎ取り形成する。【００２５】Ｂ．図１６及び図２１に示す、実施例３の継手部材２は、矩形の２枚の金属板５を成形して、
ａ．比較的に大きな矩形の金属板５を成形して、
イ．ほぼ平坦な雨受板２ａの中央部に、次のような継手溝２ｂを形成し、
ロ．その継手溝２ｂは中央部の雨受板２ａと、その両側に位置した、表面側に鋭角的に折り曲げ、さらに、裏面側に折り返して、くの字形に裏面側に折り返して、前記の中央部の雨受板２ａの延長上に、さらに表面側にＬ字形に折り曲げた、突筋２ｃとにより構成し、
ハ．また、その継手溝２ｂの両外側に突筋２ｃと、雨受板２ａの両側端を表面側に鋭角的に折り曲げて、雨返片２ｄを形成し、
ｂ．その一端の雨受板２ａと、突筋２ｃと、雨返片２ｄとを鈍角に裏面側に折り曲げて、前屈曲２ｊを形成し、
ｃ．その他端の雨受板２ａと、突筋２ｃと、雨返片２ｄとをＬ字形に、表面側にに折り曲げて後屈曲２ｋを形成する。
ｄ．また、比較的に小さな矩形の金属板５を成形して、次のような溝板２ｆを形成し、
イ．ほぼ平坦な溝底板２ｇの両側を表面側に折り返して、さらに、鈍角なほぼクランク状に折り曲げて、溝底板２ｇと鋭角な角度を形成する、、嵌合縁２ｈを形成し、
ロ．溝底板２ｇと嵌合縁２ｈとにより嵌合口２ｉを形成した溝板２ｆとし、
ハ．その嵌合口２ｉは、一端が狭く他端が広く開口し、
ｅ．前記の雨受板２ａの継手溝２ｂの内側に、次のように溝板２ｆを設置して固定し、
イ．雨受板２ａの継手溝２ｂの前屈曲２ｊに、溝板２ｆの狭い嵌合口２ｉ側を寄せて、
ロ．その溝板２ｆの両側を継手溝２ｂの突筋２ｃと雨受板２ａとにより、挟み込み固定している。【００２６】Ｃ．図１５，図１６，図１７，図１８，及び図１９に示す、実施例３の屋根４の施工は、
ａ．次のようにして横葺屋根板１を施工し、
イ．継手部材２の施工仕様の要求と屋根４の設計による接続部３の位置に合わせて、
ロ．複数の横葺屋根板１と継手部材２からなる、前の段の、すでに固定した横葺屋根板１の嵌合溝１ｋに、他の横葺屋根板１の差込片１ｅを差し込みながら、
ハ．後者の横葺屋根板１の下に継手部材２を潜らせて、
ニ．前者の横葺屋根板１の嵌合片１ｌに、その継手部材２の前屈曲２ｊ側を被せて、
ホ．後者の横葺屋根板１の引掛溝１ｒに、継手部材２の一方の嵌合縁２ｈを差し込み、
ヘ．その横葺屋根板１の前端面１ｃに、継手部材２の前屈曲２ｊを合わせて、
ト．その横葺屋根板１の釘打片１ｎの先端に、継手部材２の後屈曲２ｋを合わせて、
チ．その横葺屋根板１の継手部材２に重なっていない部分の、釘打片１ｎを釘打ち固定し、
ｂ．その継手部材２に、次の横葺屋根板１を施工し、
イ．継手部材２の嵌合口２ｉに、その横葺屋根板１の折曲片１ｑを差し込み、
ロ．前の段の、すでに固定した横葺屋根板１の嵌合溝１ｋに、後者の横葺屋根板１を幅方向にずらして、その差込片１ｅを差し込み、
ハ．その横葺屋根板１の継手部材２に重なっていない部分の、釘打片１ｎを釘打ち固定して施工し、
ニ．上記を繰り返して、この段の横葺屋根板１と継手部材２を複数施工し、
ｃ．そして、それらの施工された横葺屋根板１と継手部材２の次の段以降に、上記を繰り返して、屋根４を施工する。
【実施例４】
【００２７】  図２２，図２３，図２４，図２５，図２６，図２７，及び図２８は、この発明の実施例４を示すものである。【００２８】Ａ．図２２及び図２７に示す、実施例４においての横葺屋根板１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｅと折返片１ｉとを形成し、
イ．表面材１ａをくの字形に裏面側に折り曲げて前端面１ｃを形成し、
ロ．その前端面１ｃを、さらに鋭角に裏面側に折り曲げて、そして、裏面側に折り返して先端がナス型にふくれた差込片１ｅを形成し、
ハ．その差込片１ｅを、その差込片１ｅの裏面に沿って延長し、そして、前端面１ｃとの角において、表面側により鋭角的に折り曲げて前端面１ｃの裏面の過半に向かって延長し、次に、Ｌ字形に表面側に折り曲げて、さらに、くの字形に裏面側に折り曲げて屋根板面１ｂとほぼ平行に沿って延長して、折返片１ｉを形成し、
ｃ．そして、その屋根板面１ｂの他側端に、次のような嵌合片１ｌと嵌合溝１ｋと釘打片１ｎとを形成し、
イ．屋根板面１ｂを、表面側にＵ字形に折り曲げて、嵌合溝１ｋを形成し、
ロ．その嵌合溝１ｋを裏面側に折り返して、嵌合片１ｌを形成し、
ハ．その嵌合片１ｌを裏面側に鈍角のクランク状に折り曲げて、先端を表面側に折り返し、途中に裏面側に開口する断面半円形の突起を持つ、釘打片１ｎを形成し、
ニ．前記の、屋根板面１ｂとほぼ平行に沿った折返片１ｉが、施工時に、嵌合片１ｌに接触可能とし、
ｄ．また、その横葺屋根板１の長手方向の両端部に、剥取片１ｐを形成し、
ｅ．それから、その成形した表面材１ａの裏面側に、
イ．屋根板面１ｂと平行な折返片１ｉの内側から、嵌合溝１ｋの側端に亘る間を、裏面材１ｖにより覆った、発泡合成樹脂６による次のような裏打材１ｕを形成し、
ロ．その裏打材１ｕの幅方向の断面は、屋根板面１ｂを底辺とし、その頂点が差込片１ｅ側によった薄い三角形に形成し、
ハ．屋根板面１ｂと平行な折返片１ｉとの間にも、発泡合成樹脂６を充填し、
ｆ．前記の剥取片１ｐの裏面の裏打材１ｕを、裏打材１ｕ側に内向傾斜して切断して、剥離端１ｄを形成し、
イ．その剥取片１ｐの剥離端１ｄの外方の裏打材１ｕを、屋根板面１ｂから剥ぎ取り形成する。【００２９】Ｂ．図２３及び図２８に示す、実施例４の継手部材２は、金属板５を成形して、
ａ．ほぼ平坦で矩形の被覆面２ｍの両側を裏面側に折り返して、被覆裏面２ｎを形成し、
イ．その被覆裏面２ｎを表面側にＵ字形に折り曲げて、雨受板２ａを形成し、
ロ．その雨受板２ａは、両側の途中に、裏面側に開口する断面半円形の表面側に突起した、突筋２ｃを形成し、
ハ．また、その雨受板２ａの両外側に、雨受板２ａの両側端を表面側に鋭角的に折り曲げて、雨返片２ｄを形成し、
ｂ．その一端の被覆面２ｍと、雨受板２ａと、突筋２ｃと、雨返片２ｄとを鈍角に裏面側に折り曲げて、被覆面２ｍを折り曲げた前被覆面２ｏを形成する、前屈曲２ｊを形成し、
ｃ．その他端の雨受板２ａと、突筋２ｃと、雨返片２ｄとを延長して、Ｌ字形に表面側に折り曲げて、後屈曲２ｋを形成し、
ｄ．また、前屈曲２ｊと後屈曲２ｋとの間の雨受板２ａの縦断面は、前端面１ｃと屋根板面１ｂとの屈曲部から、釘打片１ｌとを結ぶ線と平行となる、ほぼ直線的に形成し、
イ．また、雨返片２ｄと被覆裏面２ｎとは前屈曲２ｊから釘打片１ｌ方向に漸増して肥厚し、
ロ．被覆面２ｍの端部から、雨返片２ｄはその厚さが漸減する。【００３０】Ｃ．図２２，図２３，図２４，図２５，及び図２６に示す、実施例４の屋根４の施工は、
ａ．次のようにして横葺屋根板１を施工し、
イ．継手部材２の施工仕様の要求と屋根４の設計による接続部３の位置に合わせて、
ロ．複数の横葺屋根板１と継手部材２からなる、前の段の、すでに固定した横葺屋根板１の嵌合溝１ｋに、他の横葺屋根板１の差込片１ｅを差し込みながら、
ハ．後者の横葺屋根板１の剥取片１ｐに、継手部材２の被覆裏面２ｎと雨返片２ｄとの間を被せて押し込み、
ニ．前者の横葺屋根板１の嵌合片１ｌに、その継手部材２の前屈曲２ｊ側を被せて、
ホ．後者の横葺屋根板１の前端面１ｃに、継手部材２の前屈曲２ｊを合わせて、
ヘ．その横葺屋根板１の釘打片１ｎの先端に、継手部材２の後屈曲２ｋを合わせて、
ト．その横葺屋根板１の継手部材２に重なっていない部分の、釘打片１ｎを釘打ち固定し、
ｂ．その継手部材２に、次の横葺屋根板１を施工し、
イ．継手部材２の被覆裏面２ｎと雨返片２ｄとの間に、その横葺屋根板１の剥取片１ｐを差し込み、
ロ．前の段の、すでに固定した横葺屋根板１の嵌合溝１ｋに、後者の横葺屋根板１を幅方向にずらして、その差込片１ｅを差し込み、
ハ．その横葺屋根板１の継手部材２に重なっていない部分の、釘打片１ｎを釘打ち固定して施工し、
ニ．上記を繰り返して、この段の横葺屋根板１と継手部材２を複数施工し、
ｃ．そして、それらの施工された横葺屋根板１と継手部材２の次の段以降に、上記を繰り返して、屋根４を施工する。
【実施例５】
【００３１】  図２９，図３０，図３１，図３２，図３３，図３４，及び図３５は、この発明の実施例５を示すものである。【００３２】Ａ．図２９及び図３４に示す、実施例５においての横葺屋根板１は、
ａ．金属板５による長尺の表面材１ａを成形して、ほぼ平坦な屋根板面１ｂを形成し、
ｂ．その屋根板面１ｂの一側端に、次のような前端面１ｃと差込片１ｅと折返片１ｉとを形成し、
イ．表面材１ａを鋭角的に裏面側に折り曲げて、前端面１ｃを形成し、
ロ．その前端面１ｃを、さらにくの字形に裏面側に折り曲げて、そして、裏面側に折り返して先端がナス型にふくれた差込片１ｅを形成し、
ハ．その差込片１ｅを、その差込片１ｅの裏面に沿って延長し、そして、前端面１ｃとの角において、表面側に鋭角的に折り曲げて屋根板面１ｂに当たる位置でくの字形に表面側に折り曲げて、屋根板面１ｂに沿って延長して、折返片１ｉを形成し、
ｃ．そして、その屋根板面１ｂの他側端に、次のような嵌合片１ｌと嵌合溝１ｋと釘打片１ｎとを形成し、
イ．屋根板面１ｂを、表面側にＵ字形に折り曲げて、嵌合溝１ｋを形成し、
ロ．その嵌合溝１ｋを裏面側に折り返して、嵌合片１ｌを形成し、
ハ．その嵌合片１ｌを裏面側に鈍角のクランク状に折り曲げて、先端を表面側に折り返し、途中に裏面側に開口する断面半円形の突起を持つ、釘打片１ｎを形成し、
ｄ．また、その横葺屋根板１の長手方向の両端部に、剥取片１ｐを形成し、
ｅ．それから、その成形した表面材１ａの裏面側に、
イ．前端面１ｃ方向への屋根板面１ｂからの折返片１ｉ上の屈曲部から、嵌合溝１ｋ側の側端に亘る間を、裏面材１ｖにより覆った、発泡合成樹脂６による次のような裏打材１ｕを形成し、
ロ．その裏打材１ｕの幅方向の断面は、屋根板面１ｂを底辺とし、その頂点が差込片１ｅ側によった薄い三角形に形成し、
ｆ．前記の剥取片１ｐの裏面の裏打材１ｕを、裏打材１ｕ側に内向傾斜して切断して、剥離端１ｄを形成し、
イ．その剥取片１ｐの剥離端１ｄの外方の裏打材１ｕを、屋根板面１ｂから剥ぎ取り形成する。【００３３】Ｂ．図３０及び図３５に示す、実施例５の継手部材２は、２種の金属板５を成形して、
ａ．型押しによる金属板５の型押板５ａを成形し、
イ．ほぼ平坦で矩形であり、その両側がわずかに肥厚した、被覆受２ｅを形成し、
ロ．その被覆受２ｅの内方中央をＴ字形に突起させて、その突起の他端を、Ｔ字形に拡張して、雨受板２ａを形成し、
ハ．その雨受板２ａは、被覆受２ｅの幅以内の両側のに、外側方に大経のアールを形成し、内方に突起した、突筋２ｃを形成し、
ハ．また、その雨受板２ａの両外側にも、内方に突起した断面矩形の突筋２ｃと、雨受板２ａの両側端に内方に突起した、雨返片２ｄを形成し、
ｂ．その一端の雨受板２ａと、突筋２ｃと、雨返片２ｄとを鋭角に外方に折り曲げて、前屈曲２ｊを形成し、
ｃ．その他端の雨受板２ａと、突筋２ｃと、雨返片２ｄとを鈍角のクランク状に外方に折り曲げ延長して、Ｌ字形に内方に折り曲げて、後屈曲２ｋを形成し、
ｄ．また、矩形の金属板５を成形して、次のような被覆板２ｌを形成し、
イ．ほぼ、平坦で矩形な前記の被覆受２ｅを被覆可能な、被覆面２ｍを形成し、
ロ．その被覆面２ｍの裏面である被覆裏面２ｎ側に、その両側端を、内向する鉤の手形のに、被覆受２ｅの厚さを内包可能な高さに折り曲げた、被覆爪を２ｐを形成し、
ハ．その被覆受２ｅの一端を、くの字形に続けて２回裏面側に折り曲げて、結果的に鋭角的に折り曲げた形となった、前被覆面２ｏを形成し、
ニ．その被覆板２ｌを、前記の被覆受２ｅに被せて施工する、継手部材２とする。【００３４】Ｃ．図２９，図３０，図３１，図３２，及び図３３に示す、実施例５の屋根４の施工は、
ａ．次のようにして横葺屋根板１を施工し、
イ．継手部材２の施工仕様の要求と屋根４の設計による接続部３の位置に合わせて、
ロ．複数の横葺屋根板１と継手部材２からなる、前の段の、すでに固定した横葺屋根板１の嵌合溝１ｋに、他の横葺屋根板１の差込片１ｅを差し込みながら、
ハ．後者の横葺屋根板１の剥取片１ｐに、継手部材２の被覆受２ｅと雨返片２ｄとの間を被せて押し込み、
ニ．前者の横葺屋根板１の嵌合片１ｌに、その継手部材２の前屈曲２ｊ側を被せて、
ホ．後者の横葺屋根板１の前端面１ｃに、継手部材２の前屈曲２ｊを合わせて、
ヘ．その横葺屋根板１の釘打片１ｎの先端に、継手部材２の後屈曲２ｋを合わせて、
ト．その横葺屋根板１の継手部材２に重なっていない部分の、釘打片１ｎを釘打ち固定し、
ｂ．その継手部材２に、次の横葺屋根板１を施工し、
イ．継手部材２の被覆受２ｅと雨返片２ｄとの間に、その横葺屋根板１の剥取片１ｐを差し込み、
ロ．前の段の、すでに固定した横葺屋根板１の嵌合溝１ｋに、後者の横葺屋根板１を幅方向にずらして、その差込片１ｅを差し込み、
ハ．その横葺屋根板１の継手部材２に重なっていない部分の、釘打片１ｎを釘打ち固定して施工し、
ニ．上記を繰り返して、この段の横葺屋根板１と継手部材２を複数施工し、
ｃ．次に、それらの施工された継手部材２の被覆受２ｅに、次のように被覆板２ｌを被せて、
イ．継手部材２の被覆受２ｅと、横葺屋根板１の屋根板面１ｂとの隙間に、被覆板２ｌの被覆爪２ｐの先端を差し込み、
ロ．被覆板２ｌの前被覆面２ｏを、横葺屋根板１の前端面１ｃに当るまで押し込み、
ｄ．そして、それらの施工された横葺屋根板１と継手部材２の次の段以降に、上記を繰り返して、屋根４を施工する。
【図面の簡単な説明】
【００３５】
【図１】  屋根の施工状態を示す一部省略長手方向断面図（実施例１）
【図２】  屋根の施工状態を示す一部省略幅方向断面図（実施例１）
【図３】  屋根の施工状態を示す一部省略斜視図（実施例１）
【図４】  屋根の施工状態を示す一部省略斜視図（実施例１）
【図５】  屋根の施工状態を示す一部省略斜視図（実施例１）
【図６】  横葺屋根板を示す一部省略斜視図（実施例１）
【図７】  横葺屋根板を示す一部省略斜視図（実施例１）
【図８】  屋根の施工状態を示す一部省略長手方向断面図（実施例２）
【図９】  屋根の施工状態を示す一部省略幅方向断面図（実施例２）
【図１０】  屋根の施工状態を示す一部省略斜視図（実施例２）
【図１１】  屋根の施工状態を示す一部省略斜視図（実施例２）
【図１２】  屋根の施工状態を示す一部省略斜視図（実施例２）
【図１３】  横葺屋根板を示す一部省略斜視図（実施例２）
【図１４】  横葺屋根板を示す一部省略斜視図（実施例２）
【図１５】  屋根の施工状態を示す一部省略長手方向断面図（実施例３）
【図１６】  屋根の施工状態を示す一部省略幅方向断面図（実施例３）
【図１７】  屋根の施工状態を示す一部省略斜視図（実施例３）
【図１８】  屋根の施工状態を示す一部省略斜視図（実施例３）
【図１９】  屋根の施工状態を示す一部省略斜視図（実施例３）
【図２０】  横葺屋根板を示す一部省略斜視図（実施例３）
【図２１】  継手部材を示す斜視図（実施例３）
【図２２】  屋根の施工状態を示す一部省略長手方向断面図（実施例４）
【図２３】  屋根の施工状態を示す一部省略幅方向断面図（実施例４）
【図２４】  屋根の施工状態を示す一部省略斜視図（実施例４）
【図２５】  屋根の施工状態を示す一部省略斜視図（実施例４）
【図２６】  屋根の施工状態を示す一部省略斜視図（実施例４）
【図２７】  横葺屋根板を示す一部省略斜視図（実施例４）
【図２８】  継手部材を示す斜視図（実施例４）
【図２９】  屋根の施工状態を示す一部省略長手方向断面図（実施例５）
【図３０】  屋根の施工状態を示す一部省略幅方向断面図（実施例５）
【図３１】  屋根の施工状態を示す一部省略斜視図（実施例５）
【図３２】  屋根の施工状態を示す一部省略斜視図（実施例５）
【図３３】  屋根の施工状態を示す一部省略斜視図（実施例５）
【図３４】  横葺屋根板を示す一部省略斜視図（実施例５）
【図３５】  継手部材を示す斜視図（実施例５）
【符号の説明】
【００３６】  １  横葺屋根板
２  継手部材
３  接続部
４  屋根
５  金属板
６  発泡合成樹脂
【図１】
2006322299.tif 000003
【図２】
2006322299.tif 000004
【図３】
2006322299.tif 000005
【図４】
2006322299.tif 000006
【図５】
2006322299.tif 000007
【図６】
2006322299.tif 000008
【図７】
2006322299.tif 000009
【図８】
2006322299.tif 000010
【図９】
2006322299.tif 000011
【図１０】
2006322299.tif 000012
【図１１】
2006322299.tif 000013
【図１２】
2006322299.tif 000014
【図１３】
2006322299.tif 000015
【図１４】
2006322299.tif 000016
【図１５】
2006322299.tif 000017
【図１６】
2006322299.tif 000018
【図１７】
2006322299.tif 000019
【図１８】
2006322299.tif 000020
【図１９】
2006322299.tif 000021
【図２０】
2006322299.tif 000022
【図２１】
2006322299.tif 000023
【図２２】
2006322299.tif 000024
【図２３】
2006322299.tif 000025
【図２４】
2006322299.tif 000026
【図２５】
2006322299.tif 000027
【図２６】
2006322299.tif 000028
【図２７】
2006322299.tif 000029
【図２８】
2006322299.tif 000030
【図２９】
2006322299.tif 000031
【図３０】
2006322299.tif 000032
【図３１】
2006322299.tif 000033
【図３２】
2006322299.tif 000034
【図３３】
2006322299.tif 000035
【図３４】
2006322299.tif 000036
【図３５】
2006322299.tif 000037